(57)【要約】【課題】デジタル信号を入力とするフルデジタルのオーディオアンプにおいて、パルス幅変調による高調波歪が発生していた。その対策として、パルス幅変調により発生する信号歪を計算してフィードバック補償する方法があるが、高調波歪は完全には無くならず、その更なる低減が必要とされていた。【解決手段】パルス幅変調によって発生する信号歪をノイズシェーピングフィルタにフィードバックさせることにより高調波歪を低減させ、かつ、量子化器の入力に高調波歪補償のためのフィードフォワード信号を重畳させる。フィードフォワード信号は入力信号にべき関数を静的に作用させることにより生成する。【選択図】図１
2006054800.tif 000002
【特許請求の範囲】
【請求項１】
パルス幅変調信号を出力信号とし、前記出力信号の低周波成分を離散時間信号である入力信号の低周波成分に比例させるパルス幅変調信号発生器において、パルス幅変調器と量子化器とノイズシェーピングフィルタと高調波抑制非線形要素を持ち、前記ノイズシェーピングフィルタは前記入力信号と前記量子化器の出力を入力とする離散時間フィルタであり、前記高調波抑制非線形要素は前記入力信号を入力とする静的な非線形要素であり、前記量子化器は前記ノイズシェーピングフィルタの出力と前記高調波抑制非線形要素の出力の和を入力とする量子化器であり、前記パルス幅変調器は前記量子化器の出力である離散時間離散値信号を入力とし前記出力信号を出力するものであり、前記ノイズシェーピングフィルタは前記入力信号に対しては線形に作用し前記量子化器の出力からの入力に対しては入出力の関係が線形でない非線形要素を通して作用することを特徴とする低歪パルス幅変調信号発生器。
【請求項２】
請求項１に記載のパルス幅変調信号発生器において、該高調波抑制非線形要素の出力信号の値が該高調波抑制非線形要素の入力信号の値の２乗に比例することを特徴とする低歪パルス幅変調信号発生器。
【請求項３】
請求項１に記載のパルス幅変調信号発生器において、該高調波抑制非線形要素の出力信号の値が該高調波抑制非線形要素の入力信号の値の２乗の値と３乗の値の一次結合であることを特徴とする低歪パルス幅変調信号発生器。
【請求項４】
請求項１に記載のパルス幅変調信号発生器において、該パルス幅変調器は相補型のものであり、該高調波抑制非線形要素の出力信号の値が該高調波抑制非線形要素の入力信号の値の３乗の値に比例することを特徴とする低歪パルス幅変調信号発生器。
【発明の詳細な説明】
【技術分野】
【０００１】
本発明は、フルデジタルのオーディオアンプのように、連続時間信号に対してデジタル信号化された信号をもとにパルス幅変調を掛けるものに関するものである。
【背景技術】
【０００２】
Ｄ級増幅器と呼ばれるスイッチング増幅器は、電力効率が高いことにより、スピーカを駆動するオーディオアンプとしても用いられ始めている。このスイッチング増幅器を実現する方法として、アナログ信号を入力信号とするタイプのものと、デジタル信号（離散時間離散値信号）を入力信号とするフルデジタルアンプと呼ばれるタイプのものがある。フルデジタルアンプは、音源信号がＣＤやＭＤのようにデジタル信号である場合には、すべての信号処理をデジタルで行うことができるので、低コストで高品質の音を発生できる可能性を持っている。
【０００３】
フルデジタルアンプでは、音源信号に対して電子ボリュームなどの信号処理を行った後、オーバーサンプラにより信号のサンプリング周波数を１６倍や３２倍などの値に上昇させる。そしてΔ−Σ変調器により５ビットとか６ビットなどの低い分解能に量子化し、量子化した信号でパルス幅変調を掛けＰＷＭ信号を発生させる。このＰＷＭ信号によりスイッチングアンプを駆動し、その出力に対してローパスフィルタを通してからスピーカなどを駆動する。
【０００４】
このフルデジタルアンプにおける一連の信号処理の中で、パルス幅変調を掛ける段階において、高調波歪が発生してしまう。たとえば、音源信号が1kHzの正弦波信号であった場合、ＰＷＭ信号にその２倍の周波数の2kHzの信号やその３倍の周波数の3kHzの信号が含まれてしまう。このような高調波歪がフルデジタルアンプの性能を落としてしまっていた。
【０００５】
図７は、従来の技術によるパルス幅変調信号発生器の一例であり、デジタル信号である信号x[k]を入力とし、Ｄ級増幅器を駆動するパルス幅変調信号w(t)を出力するものである。入力信号x[k]はサンプリング周波数705.6kHzの離散時間信号であり、サンプリング周波数44.1kHzの音声信号を16倍にサンプルレート変換したものである。この入力信号x[k]を、量子化器１およびノイズシェーピングフィルタ３を用いて量子化する。量子化器１は-15から15までの31レベルの量子化を行う。したがって量子化器１の出力y[k]は31レベルでサンプリング周波数が705.6kHzのデジタル信号である。ノイズシェーピングフィルタ３は、y[k]に含まれる量子化ノイズが20kHzよりも低い周波数成分が小さくなるようにするものである。パルス幅変調器２はレベル数が31の対称型パルス幅変調を行なうものである。
【０００６】
入力信号x[k]を変調率82％の振幅で周波数2.758kHzの正弦波とし、得られた信号y[k]に対して零次ホールドを通した信号のスペクトルの例を図８に示す。この例においては、高調波歪も認められず、量子化ノイズもよく抑えられている。図９は、このときのパルス幅変調信号w(t)のスペクトルである。パルス幅変調によって発生する歪のため、第２高調波成分や第３高調波成分が大きく現れてしまっている。
【０００７】
【特許文献１】特公２０００−５０７７５９号公報
【特許文献２】特願２００４−０２６１５０号
【特許文献３】特願２００４−０４７１１３号
【非特許文献１】河西宏之：フルディジタル・アンプに必要な信号処理の概要，トランジスタ技術，２００３年７月号，２０５−２２２頁
【発明の開示】
【発明が解決しようとする課題】
【０００８】
解決しようとする課題は、フルデジタルアンプにおけるパルス幅変調によって発生する高調波歪による性能劣化を防ぐことである。また、パルス幅変調によって可聴域のノイズフロアが持ち上がる現象を低減することである。
【課題を解決するための手段】
【０００９】
フルデジタルアンプのパルス幅変調器によって発生する信号歪も検出し、それをノイズシェーピングフィルタにフィードバックすることにより、パルス幅変調器において発生する信号歪を補償するとともに、フィードバック補償しきれなかった分に対して、入力信号に静的非線形要素を通した信号を量子化器の入力に重畳させて高調波歪成分を相殺させることにより、高調波歪の少ないパルス幅変調信号を得る。
【００１０】
パルス幅変調器によって発生する信号歪も検出してフィードバック補償を行なう方法としては、次に述べる特願２００４−０４７１１３号に記載の技術を用いる。まず、図２に示すようにノイズシェーピングフィルタ３として連続時間動作するものを用い、量子化器の出力信号y[k]の代わりにパルス幅変調信号w(t)をフィードバックさせることにより、パルス幅変調によって発生する信号歪もフィードバック補正する方法が考えられる。しかし、この方法をそのまま実現しようとすると、ノイズシェーピングフィルタ３を、連続時間で動作させるか、または、パルス幅変調に用いる速いクロックに同期させて動作させる必要が発生し、どちらの場合も現実的ではない。
【００１１】
そこで、図２に示す機能を図３に示す装置によって実現することを考える。図中、太線はベクトル信号を表す。今、信号x[k]のサンプリング周期をT、積分器３８の出力信号（ベクトル信号）をξ(t)とすると、
【００１２】
【数１】
2006054800.tif 000003
【００１３】
となる。ただし、Acは正方行列、bcは縦ベクトルである。したがって、
【００１４】
【数２】
2006054800.tif 000004
【００１５】
【数３】
2006054800.tif 000005
【００１６】
【数４】
2006054800.tif 000006
【００１７】
とおくと、
【００１８】
【数５】
2006054800.tif 000007
【００１９】
のようになる。すなわち、連続時間で動作する図２のノイズシェーピングフィルタ３は図３におけるノイズシェーピングフィルタ３のように離散時間系として実現することができる。この際、何ら近似は用いていない。数４においては、w(kT+t)の値が0≦t＜Tにおいて、y[k]の値によって決まるので、このように記述してある。
【００２０】
ここまでをまとめると、図３に示すように離散時間系のノイズシェーピングフィルタの量子化器からの入力に対して、非線形要素３５を通すことにより、等価的に図２に示すようなパルス幅変調信号w(t)から連続時間でフィードバックすることができる。したがって、パルス幅変調器２において発生する低周波域での信号歪を検出してフィードバック補償することができる。このことにより、パルス幅変調によって発生する高調波歪も低減させることができるし、パルス幅変調によるノイズフロアの持ち上がりも抑制することができる。
【００２１】
しかし、上記の方法を用いても、入力信号x[k]の高調波成分は低減されるものの、完全には除去されない。そこで、上記の方法によってでは除去されなかった高調波成分を、図１に示すように、入力信号に対して静的な非線形要素６を通した信号を量子化器１の入力信号に重畳させることにより相殺させる。このとき、パルス幅変調によって発生する歪をフィードバック補償しているので、高調波のフィードバック補正しきれなかった分をフィードフォワード補償する信号の大きさは入力信号x[k]の周波数には依存しないといった性質がある。したがって、フィードフォワード補償には動的ではなく静的な非線形要素を用いる。
【００２２】
パルス幅変調が対称型もしくは準対称型である場合においては、高調波歪は２次のものが最も大きくなる。この第２高調波を相殺させるためには、入力信号x[k]の２倍の周波数成分を持ち、かつ、発生する第２高調波と逆相の信号を生成する必要がある。そのような信号として、入力信号x[k]の２乗に係数を掛けたものを用いると有効である。すなわち、フィードフォワード補償信号をv[k]としたとき、v[k]を次のように算出する。
【００２３】
（数６）
v[k] = h2 x2[k]
【００２４】
ただし、h2は適当な係数である。このとき、入力信号x[k]の振幅変動などによりフィードフォワード信号v[k]のオフセット成分が変動することになるが、その影響はノイズシェーピングフィルタにより問題なく補償される。
【００２５】
また、パルス幅変調が対称型もしくは準対称型である場合においては、第２高調波の他に第３高調波も発生する。第３高調波は第２高調波よりも小さいが、第２高調波だけではなく第３高調波も除去する場合においては、フィードフォワード信号v[k]に入力信号x[k]の３乗の項を付加することが有効である。
【００２６】
（数７）
v[k] = h2 x2[k] + h3 x3[k]
【００２７】
ただし、h3は適当な係数である。このとき、入力信号x[k]の３乗の項には入力信号自身の成分も含まれてしまうが、この影響もノイズシェーピングフィルタにより問題なく補償される。
【００２８】
パルス幅変調として相補型のものが用いられることがある。これは、図４に示すように、二つのパルス幅変調器４１，４２を用い、互いにパルス幅が相補的になるように動作をさせ、二つのパルス幅変調信号の差の信号を出力信号として扱うものである。フルデジタルオーディオアンプの場合においては、二つの相補的なパルス幅変調信号は、それぞれスイッチング増幅器４１，４２により増幅され、スピーカ５にＢＴＬ接続される。相補型パルス幅変調信号の波形の例を図５に示す。
【００２９】
相補型パルス幅変調を用いることの利点の一つは、出力信号にパルス幅変調による第２高調波（２次歪）が発生しないことである。したがって、高調波歪のフィードフォワード補償においては、第３高調波（３次歪）のみを補償すればよいことになる。したがって、フィードフォワード信号v[k]は次のように算出すればよいことになる。
【００３０】
（数８）
v[k] = h3 x3[k]
【発明の効果】
【００３１】
本発明のパルス幅変調信号発生器を用いることにより、高調波歪が小さくノイズフロアも低いフルデジタルアンプを実現することができる。
【発明を実施するための最良の形態】
【００３２】
本発明を実施するための最良の形態について実施例を通して示す。
【実施例１】
【００３３】
本発明第１の実施例は、フルデジタルオーディオアンプのパルス幅変調信号発生部である。機能としては、入力信号x[k]に応じたパルス幅変調信号w(t)を生成するものであり、このパルス幅変調信号w(t)によりＤ級アンプを駆動し、その出力をローパスフィルタに通すことで、スピーカを駆動する信号を得ることができる。
【００３４】
離散時間信号x[k]はサンプリング周波数44.1kHzの離散時間信号に対してサンプリング周波数を１６倍の705.6kHzに変換した信号である。すなわち、信号x[k]は、おおよそ20kHz以下の周波数を成分とする信号である。このパルス幅変調信号発生器の目的は、パルス幅変調信号w(t)の20kHz以下の周波数成分が信号x[k]の20kHz以下の周波数成分になるべく近くなるようにパルス幅変調信号w(t)を生成することである。
【００３５】
量子化器１は、入力の値に応じて-15から15までの31レベルの信号y[k]を出力するものである。パルス幅変調器２は、入力信号y[k]の値に応じて31レベルの対称型パルス幅変調を行なうものである。いくつかの入力値に対する１周期分の出力波形を図６に示す。パルス幅変調のキャリア周波数は705.6kHzであり、そのクロック周波数はキャリア周波数の64倍の45.1584MHzである。ノイズシェーピングフィルタは、クロック周波数705.6kHzにて動作するデジタルフィルタであり、５次のものを用いている。その係数は伝達関数
【００３６】
（数９） 
G[z] = c (zI-A)-1 b + 1
【００３７】
の極が0、exp(±j*0.157)、exp(±j*0.094)に、分子多項式が次式となるように設定した。
【００３８】
（数１０）
n (z) = z^5 -1.8338*z^4 +1.8289*z^3 -0.9770*z^2 +0.2876*z -0.0354
【００３９】
入力信号x[k]は変調率82％の振幅で周波数2.758kHzの正弦波とした。まず、図７に示す通常に用いられている方法でパルス幅変調信号を作成してみる。このときの量子化信号y[k]のスペクトルを図８に、パルス幅変調信号w(t)のスペクトルを図９に示す。図８を見ると、量子化信号y[k]は信号の高調波は認められず、量子化ノイズの可聴域におけるスペクトルも小さくなっており、所望のスペクトルが得られていることが判る。しかし、その量子化信号y[k]によりパルス幅変調を行った信号w(t)のスペクトル（図９）を見ると、信号の第２および第３高調波が多く含まれてしまっており、ノイズフロアも上昇している。このような現象は、パルス幅変調の非線形性に起因する。
【００４０】
次に、ノイズシェーピングフィルタとして、図３に示す特願２００４−０４７１１３号に記載のものを用いてみる。そのときのパルス幅変調信号w(t)のスペクトルを図１０に示す。ノイズフロアに関しては、ほぼ理想的に抑制できており、入力信号の高調波もある程度抑制できているのだが、第２高調波が少し残っているし、第３高調波もわずかに残っている。
【００４１】
そこで、図１に示すような高調波歪を相殺させるフィードフォワード信号を量子化器１の信号に重畳させてみる。フィードフォワード信号の生成は、数７に記載の式を用いた。そのときのパルス幅変調信号w(t)のスペクトルを図１１に示す。入力信号の第２高調波、第３高調波ともノイズフロアに埋もれる程度に削減されており、理想的なパルス幅変調信号が生成できていることが判る。
【００４２】
次に、同様のテストをツートーン信号に対して行ってみた。入力信号は、周波数が4.1344kHzの正弦波と5.5125kHzの正弦波の重ねあわせであり、最大変調率は82％である。図７記載の通常のノイズシェーピングフィルタを用いた場合のパルス幅変調信号w(t)のスペクトルを図１２に示す。入力信号の高調波のみならず、相互変調によるスペクトルも含まれていることが判る。これを図３に示す方法によりパルス幅変調信号を作成したときのパルス幅変調信号w(t)のスペクトルを図１３に示す。高調波や相互変調はある程度低減されているが、少し残ってしまっている。同じ信号を図１に記載の方法でパルス幅変調信号を作成してみた。フィードフォワード補償信号の生成は、数７に記載の式を用いた。そのときのパルス幅変調信号w(t)のスペクトルを図１４に示す。入力信号の高調波および相互変調のスペクトルが抑制できており、理想的なスペクトルとなっている。ツートーン信号に対してパルス幅変調信号の理想的なスペクトルが得られたことから、本発明における２次歪や３次歪の補正方法が一般的な入力信号に対して有効であることが判る。
【００４３】
本発明第１の実施例においては、ノイズシェーピングフィルタの構造を図１に示したものを用いたが、ノイズシェーピングフィルタの構造は、その機能が図１に示すものと同じであればよく、図１５に示すものを用いてもよい。
【実施例２】
【００４４】
本発明第２の実施例は、パルス幅変調の方式が準対称型であることを除いては、本発明第１の実施例と同じである。すなわち、本発明第２の実施例のパルス幅変調信号発生器についてのブロック線図は図１に示す通りである。図１におけるパルス幅変調器２の動作が本発明第１の実施例と異なり、それにともない、非線形関数ベクトル３５の値も本発明第１の実施例と異なる。
【００４５】
図１６は、図１でのパルス幅変調器２における、いくつかの入力の値に対するパルス幅変調信号の１周期分の波形を示している。本発明第２の実施例においては、入力信号の値が-15から15までの31レベルをとり、レベルが順次増えて行くと、パルスの前縁と後縁のタイミングが交互に変化しながら、パルス幅は入力の値に対して直線的に変化するものである。
【００４６】
このようなパルス幅変調を行なうことの利点は、パルス幅変調のレベル数が同じときに、本発明第１の実施例にて用いた対称型のパルス幅変調に比べて、必要とされるクロック周波数が半分で済むことである。本発明第２の実施例におけるパルス幅変調器に必要なクロック周波数は22.5792MHzであり、本発明第１の実施例の45.1584MHzの半分である。パルス幅変調方式を本発明第１の実施例から変えたので、その結果として、非線形関数ベクトル３５の入出力関係も変わってくる。非線形関数ベクトル３５の入出力関係の計算式は数４に示す通りであり、本発明第１の実施例と同じである。
【００４７】
この準対称パルス幅変調を用いた場合について、入力信号x[k]を変調率80％の振幅で周波数2.758kHzの正弦波としたときのパルス幅変調信号w(t)のスペクトルを調べた。この場合、パルス幅変調が準対称型であることの補償をする必要があるので、先ず、図３に示す方法でパルス幅変調信号を作成してみた。このときのパルス幅変調信号のスペクトルを図１７に示す。第２高調波の成分が幾分残っている。第３高調波もわずかに認められるが、本発明第２の実施例においてはこの第２高調波（２次歪）の成分のみを抑制する。そこで、フィードフォワード補償信号を数６に示す入力信号の２乗の形式のものを用い、図１に示す方法でパルス幅変調信号w(t)を生成してみた。このときのパルス幅変調信号w(t)のスペクトルを図１８に示す。第２高調波の成分が抑制されていることが見て取れる。
【００４８】
次に、同様のテストをツートーン信号に対して行ってみた。入力信号は、周波数が4.1344kHzの正弦波と5.5125kHzの正弦波の重ねあわせであり、最大変調率は80％である。先ほどと同じ図１に示す方法で作成したパルス幅変調信号w(t)のスペクトルを図１９に示す。高調波や相互干渉のスペクトルはノイズフロアに埋もれてしまうほど小さくなっていて、フィードフォワード補償が第２高調波（２次歪）に対してだけであっても、この場合は良好なスペクトルが得られていることが判る。
【実施例３】
【００４９】
本発明第３の実施例は、パルス幅変調の方式が相補型であることを除いては、本発明第１の実施例と同じである。すなわち、本発明第３の実施例のパルス幅変調信号発生器についてのブロック線図は図１に示す通りである。図１におけるパルス幅変調器２の動作が本発明第１の実施例と異なり、それにともない、非線形関数ベクトル３５の値も本発明第１の実施例と異なる。
【００５０】
図５は相補型パルス幅変調の波形例であり、図１でのパルス幅変調器２における、いくつかの入力の値に対するパルス幅変調信号の１周期分の波形を示している。本発明第３の実施例においては、入力信号の値が-15から15までの31レベルを持つものを使用する。このようなパルス幅変調を行なうことの利点は、パルス幅変調を行なうことによる信号の２次歪を相殺させることができることである。すなわち、入力信号の第２高調波は原理的には発生しない。
【００５１】
パルス幅変調方式を本発明第１の実施例から変えたので、その結果として、非線形関数ベクトル３５の入出力関係も変わってくる。非線形関数ベクトル３５の入出力関係の計算式は数１１に示す通りである。
【００５２】
【数１１】
2006054800.tif 000008
【００５３】
この相補型パルス幅変調を用いた場合について、入力信号x[k]を変調率82％の振幅で周波数2.758kHzの正弦波としたときのパルス幅変調信号
【００５４】
（数１２）
w(t) = w1(t) - w2(t)
【００５５】
のスペクトルを調べた。図７に示す従来の方法で作成したパルス幅変調信号w(t)のスペクトルを図２０に示す。相補型パルス幅変調を用いているので２次の高調波は出ていないが、第３高調波が大きく出ている。図２１は、図３に示す方法により生成したパルス幅変調信号w(t)のスペクトルである。第３高調波はかなり低減できているが、まだ少し残っている。そこで、図１に示す方法によりパルス幅変調信号を作成してみた。フィードフォワード補償信号に関しては、第３高調波（３次歪）のみを除去すればよいので、数８に示す入力信号の３乗に比例するものを用いた。図２２にパルス幅変調信号w(t)のスペクトルを示す。第３高調波が抑制されて、理想的なスペクトルを有していることが判る。
【００５６】
図２３は、図１に示す方法に対して、入力信号を4.1344kHzの正弦波と5.5125kHzの正弦波の重ね合わせであるツートーン信号とした場合のパルス幅変調信号w(t)のスペクトルである。最大変調率は82％である。フィードフォワード補償は先程と同じである。高調波や相互干渉のない良好なスペクトルを持つパルス幅変調信号が作成できていることがわかる。
【産業上の利用可能性】
【００５７】
本発明のパルス幅変調信号発生器を用いることにより、パルス幅変調にともなう信号歪を低減でき、高調波歪や相互干渉歪がほとんどないフルデジタルのオーディオアンプを実現することができる。
【図面の簡単な説明】
【００５８】
【図１】本発明を説明する図であり、ＰＣＭ信号をＰＷＭ信号に変換する装置のブロック図。
【図２】従来のパルス幅変調歪を低減させる技術を説明するための図であり、ＰＣＭ信号をＰＷＭ信号に変換する装置のブロック図。
【図３】従来のパルス幅変調歪を低減させる技術を説明する図であり、ＰＣＭ信号をＰＷＭ信号に変換する装置のブロック図。
【図４】相補型パルス幅変調の説明するブロック図。
【図５】相補型パルス幅変調信号の波形の例。
【図６】対称パルス幅変調信号の波形の例。
【図７】従来の一般に用いられているＰＣＭ信号をＰＷＭ信号に変換する装置のブロック図。
【図８】従来の一般的な方法によって生成された量子化信号y[k]のスペクトル。
【図９】従来の一般的な方法によって生成されたパルス幅変調信号w(t)のスペクトル。
【図１０】従来のパルス幅変調歪抑制手法によって生成されたパルス幅変調信号w(t)のスペクトル。
【図１１】本発明第１の実施例によって生成されたパルス幅変調信号w(t)のスペクトル。
【図１２】従来の一般的な方法によって生成されたパルス幅変調信号w(t)のスペクトル（ツートーン信号入力）。
【図１３】従来のパルス幅変調歪抑制手法によって生成されたパルス幅変調信号w(t)のスペクトル（ツートーン信号入力）。
【図１４】本発明第１の実施例によって生成されたパルス幅変調信号w(t)のスペクトル（ツートーン信号入力）。
【図１５】本発明に対する他の実現方法を説明する図であり、ＰＣＭ信号をＰＷＭ信号に変換する装置のブロック図。
【図１６】準対称パルス幅変調信号の波形の例。
【図１７】従来のパルス幅変調歪抑制手法によって生成された準対称パルス幅変調信号w(t)のスペクトル。
【図１８】本発明第２の実施例によって生成された準対称パルス幅変調信号w(t)のスペクトル。
【図１９】本発明第２の実施例によって生成された準対称パルス幅変調信号w(t)のスペクトル（ツートーン信号入力）。
【図２０】従来の一般的な方法によって生成された相補型パルス幅変調信号w(t)のスペクトル（ツートーン信号入力）。
【図２１】従来のパルス幅変調歪抑制手法によって生成された相補型パルス幅変調信号w(t)のスペクトル。
【図２２】本発明第３の実施例によって生成された準対称パルス幅変調信号w(t)のスペクトル。
【図２３】本発明第２の実施例によって生成された準対称パルス幅変調信号w(t)のスペクトル（ツートーン信号入力）。
【符号の説明】
【００５９】
１・・・量子化器
２・・・パルス幅変調器
３・・・ノイズシェーピングフィルタ
３１・・・遅延器
３２・・・行列
３３・・・ベクトル
３４・・・ベクトル
３５・・・非線形関数ベクトル
３６・・・零次ホールド
３７・・・サンプラ
３８・・・積分器
４１，４２・・・スイッチングアンプ
５・・・スピーカ
６・・・フィードフォワード補償要素
【図１】
2006054800.tif 000009
【図２】
2006054800.tif 000010
【図３】
2006054800.tif 000011
【図４】
2006054800.tif 000012
【図５】
2006054800.tif 000013
【図６】
2006054800.tif 000014
【図７】
2006054800.tif 000015
【図８】
2006054800.tif 000016
【図９】
2006054800.tif 000017
【図１０】
2006054800.tif 000018
【図１１】
2006054800.tif 000019
【図１２】
2006054800.tif 000020
【図１３】
2006054800.tif 000021
【図１４】
2006054800.tif 000022
【図１５】
2006054800.tif 000023
【図１６】
2006054800.tif 000024
【図１７】
2006054800.tif 000025
【図１８】
2006054800.tif 000026
【図１９】
2006054800.tif 000027
【図２０】
2006054800.tif 000028
【図２１】
2006054800.tif 000029
【図２２】
2006054800.tif 000030
【図２３】
2006054800.tif 000031